(57)【要約】【課題】パネル本体６の端部の端部カバー７に設けたシール端部８ａを押圧変形させて防水するにあたり、パネル本体の重さが直接かからないシールコーナー部８ｃの押圧変形を確実にする。【解決手段】開口部の左右両端部に設けたガイドレール４を上下移動して開口部の開閉をするシャッターカーテン１の下端部に、左右両端部がガイドレール４に内嵌して昇降案内される防水パネル５と、該防水パネル５の左右両側面となる端部カバー７の左右方向外面板７ｂからコーナー部７ｇを経て底面板７ｃに至るよう設けられる防水シールＳと、ガイドレール４の溝底面４ｂから左右方向内方に突出して設けられ、防水シールとのうち端部カバー７に取付けられるシール端部８ａを押圧変形させて左右両側面の防水をする押圧体９ｃとを設けて開口部下側部位の防水をする。【選択図】図９
2018048525.tif 000002
【特許請求の範囲】
【請求項１】
開口部の左右両端部に設けたガイドレールを上下移動して開口部の開閉をする防水パネルと、該防水パネルの左右両側面からコーナー部を経て底面に至るよう設けられる防水シールと、ガイドレールの溝底面から左右方向内方に突出して設けられ、左右両側面の防水シールを押圧変形させて左右両側面の防水をする押圧体とを設けて開口部下側部位の防水をするように構成するにあたり、
押圧体は、防水シールの左右側面部位の下端側からコーナー部を経由して防水パネル左右方向外端縁よりも左右方向内方の底面部位までを押圧変形するものであることを特徴とする建築用開閉装置の防水構造。
【請求項２】
押圧体による防水シール底面部位の押圧変形は、ガイドレール内に納まっていることを特徴とする請求項１記載の建築用開閉装置の防水構造。
【請求項３】
押圧体は、防水シールの左右側面部位を押圧する左右側押圧部と、底側部位を押圧する底側押圧部と、両押圧部を連続させるためのコーナー部とを備えて構成されていることを特徴とする請求項１または２記載の建築用開閉装置の防水構造。
【請求項４】
防水シールは、一本状のものが防水パネルのコーナー部で折曲するように設けられることでシールコーナー部外周面が弧状になっており、押圧体のコーナー部は弧状になっていることを特徴とする請求項１乃至３の何れか１記載の建築用開閉装置の防水構造。
【請求項５】
底側押圧部は、先端側ほど低くなるよう傾斜していることを特徴とする請求項３又は４記載の建築用開閉装置の防水構造。
【請求項６】
底側押圧部の先端は、床面とのあいだに段差がないように設定されていることを特徴とする請求項５記載の建築用開閉装置の防水構造。
【請求項７】
押圧体の左右側押圧部から底側押圧部に至るコーナー部は、これら押圧部を含めて少なくとも二つ以上の折曲された頂辺から形成されていることを特徴とする請求項３乃至６の何れか１記載の建築用開閉装置の防水構造。
【請求項８】
隣接する頂辺間のコーナー部は弧状になっていることを特徴とする請求項７記載の建築用開閉装置の防水構造。
【発明の詳細な説明】
【技術分野】
【０００１】
本発明は、ビルの出入り口や地下への出入り口等の屋外に通じる開口部に建て付けられる建築用開閉装置における防水構造の技術分野に関するものである。
【背景技術】
【０００２】
今日、建築物の開口部に設けた左右のガイドレールに案内されて開閉体が昇降することにより開口部の開閉をするようにした建築物の開口部開閉用装置が知られており、このような開閉用装置を屋外に通じる開口部に設けた場合、屋外側から雨水等の水が浸入しないよう雨仕舞い対策を施すことが試みられている。このような雨仕舞対策として、開口部の屋外側床面部を一段高くして雨水が内部に入らないようにすることが実用化されている。ところがこのようにした場合、一段高くなった屋外側床面部が段差部になって出入りの邪魔になるという問題がある。
そこで開閉体の左右両側面と底面にゴム質弾性材からなる防水シールを設ける一方、防水シールが当接する床面と左右枠体の内側面に、開閉体が閉鎖したときに防水シールに当接して該防水シールを押し潰すことで防水する押圧体を設け、これにより防水機能を発揮できるようにしたものが知られている（例えば特許文献１参照）。
ところがこのものは、開閉体の正面に防水シールを設ける一方、枠側に露出するように、閉扉時に防水シールを押圧変形して防水する押圧体を設けているため、防水シール、押圧体が目視されてしまい外観性が損なわれる、という問題がある。
【先行技術文献】
【特許文献】
【０００３】
【特許文献１】特開２００５−４２３８９号公報
【発明の概要】
【発明が解決しようとする課題】
【０００４】
そこで開口部の左右に設けられたガイドレールに案内されて開閉する開閉体の下端に、該ガイドレールに左右両端部が案内される防水パネルを設ける一方、該防水パネルの左右両側面および底面に防水シールを設け、防水シールの底面部位は床面に防水パネルの重量を受ける状態で押圧当接させ、側面部位は、該側面部位を押圧変形させる押圧体をガイドレール内に設けるようにして特に側面部位の防水機能を発揮する部材が目視できないようにすることが提唱される。
ところがこの場合、防水シールコーナー部の防水パネル左右方向外端縁より外側部位は、防水パネルの重量を直上から受けることがないため、防水のための押圧変形が不十分になって防水性が損なわれる惧れがあるという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、開口部の左右両端部に設けたガイドレールを上下移動して開口部の開閉をする防水パネルと、該防水パネルの左右両側面からコーナー部を経て底面に至るよう設けられる防水シールと、ガイドレールの溝底面から左右方向内方に突出して設けられ、左右両側面の防水シールを押圧変形させて左右両側面の防水をする押圧体とを設けて開口部下側部位の防水をするように構成するにあたり、押圧体は、防水シールの左右側面部位の下端側からコーナー部を経由して防水パネル左右方向外端縁よりも左右方向内方の底面部位までを押圧変形するものであることを特徴とする建築用開閉装置の防水構造である。
請求項２の発明は、押圧体による防水シール底面部位の押圧変形は、ガイドレール内に納まっていることを特徴とする請求項１記載の建築用開閉装置の防水構造である。
請求項３の発明は、押圧体は、防水シールの左右側面部位を押圧する左右側押圧部と、底側部位を押圧する底側押圧部と、両押圧部を連続させるためのコーナー部とを備えて構成されていることを特徴とする請求項１または２記載の建築用開閉装置の防水構造である。
請求項４の発明は、防水シールは、一本状のものが防水パネルのコーナー部で折曲するように設けられることでシールコーナー部外周面が弧状になっており、押圧体のコーナー部は弧状になっていることを特徴とする請求項１乃至３の何れか１記載の建築用開閉装置の防水構造である。
請求項５の発明は、底側押圧部は、先端側ほど低くなるよう傾斜していることを特徴とする請求項３又は４記載の建築用開閉装置の防水構造である。
請求項６の発明は、底側押圧部の先端は、床面とのあいだに段差がないように設定されていることを特徴とする請求項５記載の建築用開閉装置の防水構造である。
請求項７の発明は、押圧体の左右側押圧部から底側押圧部に至るコーナー部は、これら押圧部を含めて少なくとも二つ以上の折曲された頂辺から形成されていることを特徴とする請求項３乃至６の何れか１記載の建築用開閉装置の防水構造である。
請求項８の発明は、隣接する頂辺間のコーナー部は弧状になっていることを特徴とする請求項７記載の建築用開閉装置の防水構造である。
【発明の効果】
【０００６】
請求項１の発明とすることにより、防水パネルの左右両側面と底面とに設けた防水シールを、押圧体により押圧変形させて防水するようにしたものでありながら、押圧体は、防水パネルの左右外端縁よりも内側の底面部位まで押圧変形することになって、防水パネルの重量が直接働かないコーナー部の防水シールについても確実に押圧変形することになって防水性が向上する。
請求項２の発明とすることにより、押圧体はガイドレールによって隠れるため、視認性が損なわれることがない。
請求項３の発明とすることにより、押圧体の構造を簡略化しながら確実な防水性能を発揮できることになる。
請求項４の発明とすることにより、押圧体の弧状になったコーナー部が、防水シールの弧状になったコーナー部外周面によく沿う状態で該シールコーナー部の押圧変形をすることになり、コーナー部で防水性能が低下してしまうことを防止できることになる。
請求項５の発明とすることにより、押圧体の底側押圧部は、弧状のコーナー部に合わせて防水パネルの荷重がかかる先端側ほど低くなることになって、該部位の押圧体による押圧変形による負荷が少なくなって防水シールの損耗を抑制できることになる。
請求項６の発明とすることにより、押圧体の底側押圧部の先端と床面とのあいだに段差がなくなるため、該部位での防水性が損なわれることを防止して防水性の高いものにできる。
請求項７の発明とすることにより、押圧体のコーナー部は、二つ以上の多角形状になって防水シールのコーナー部によく沿うこととなって防水性が向上する。
請求項８の発明とすることにより、押圧体コーナー部の多角形状の頂辺間のコーナー部が弧状になることとなり、この結果、防水シールのコーナー部によりよく沿うこととなって防水性が向上する。
【図面の簡単な説明】
【０００７】
【図１】建築用シャッター装置の一部を切欠いた正面図である。
【図２】建築用シャッター装置の側面断面図である。
【図３】シャッターカーテンの下側部分の拡大正面図である。
【図４】シャッターカーテンの下側部分の拡大側面図である。
【図５】（Ａ）は防水パネルの左側端部位の正面図、（Ｂ）は端部カバーの部位の水平断面図、（Ｃ）は端部カバーをパネル本体に螺着した部位の縦断面図である。
【図６】（Ａ）（Ｂ）（Ｃ）は押圧具をガイドレールに取り付けた状態を示す正面断面図、側面図、平面図である。
【図７】（Ａ）（Ｂ）（Ｃ）（Ｄ）は押圧具の正面図、右側面図、左側面図、押圧体の内端形状の例を示す断面図である。
【図８】（Ａ）（Ｂ）（Ｃ）は端部カバーの正面図、左側面図、正面断面図である。
【図９】（Ａ）（Ｂ）（Ｃ）は端部カバー部位の正面断面図、平面断面図、側面断面図である。
【図１０】（Ａ）（Ｂ）（Ｃ）（Ｄ）はそれぞれ押圧具の他例を示す正面図である。
【図１１】（Ａ）（Ｂ）は前後方向振れ止め体を設けた場合の端部カバー部位の水平断面図、同端部カバーの要部斜視図である。
【図１２】以下の図面は第二の実施の形態を示すものであって、建築用シャッター装置の一部を切欠いた正面図である。
【図１３】建築用シャッター装置の側面断面図である。
【図１４】シャッターカーテンの下側部分の拡大正面図である。
【図１５】（Ａ）（Ｂ）は防水パネルの平面図、側面図である。
【図１６】（Ａ）（Ｂ）（Ｃ）（Ｄ）は中央パネルの正面図、平面図、側面図、底面図である。
【図１７】（Ａ）（Ｂ）（Ｃ）（Ｄ）は端パネルの正面図、平面図、側面図、底面図である。
【図１８】（Ａ）（Ｂ）は端パネルと中央パネルの連結部位を示す水平分解断面図、水平断面図である。
【発明を実施するための形態】
【０００８】
以下、本発明の実施の形態について、図面に基づいて説明する。ここにおいて使用する「前後方向」とは「開口部の出入り方向（見込方向）」であり、「左右方向」とは開口部の「開口部の左右幅方向（見付け方向）」であり、「左右方向外方」とは「開口部左右中心から左右方向外側を向く方向」であり、「左右方向内方」とは「開口部左右端側から左右方向中心を向く方向」であり、「左右方向内面」とは「開口部の左右中心から見える面」であり、「左右方向外面」とは「開口部の左右両端側から見える面」であると便宜上定義するが、必ずしもこれに拘泥されるものではない。
まず、図１〜１１に示された第一の実施の形態について説明する。図面において、１は建築用重量シャッター装置のシャッターカーテン（開閉体）であって、該シャッターカーテン１は、スラット１ａをインターロック結合により上下方向に一連状に連結することで形成され、上端縁が天井部に設けられた巻取りドラム２に連結されている。そしてシャッターカーテン１は、巻取りドラム２が電動開閉機３の正逆駆動に基づいて回転することにより、開口部左右に設けたガイドレール４に案内されて上下開閉移動をするようになっていること等は何れも従来通りである。
【０００９】
５は防水パネル（防水板）であって、該防水パネル５は、一枚板状のパネル本体６と、該パネル本体６の左右両端部に抜き差し自在に取付けられる溝状の端部カバー７とから構成されるが、パネル本体６は、左右幅が左右ガイドレール４のガイド溝４ａ内に嵌入し、パネル厚がガイドレール４に遊嵌する寸法設定になっている。そしてパネル本体６の上端面にはアングル材６ａが取付けられ、該アングル材６ａにシャッターカーテン１の最下端のスラット（下側インターロック結合部がないもの）１ｂが緊締具の一例であるボルト６ｂを介して固定されている。
【００１０】
端部カバー７は、表裏面板７ａと左右方向外面板７ｂと底面板７ｃとを備え、上下方向上方及び左右方向内方が開口した溝形状で構成されるが、表裏面板７ａ間の内寸法は、ガイドレール４に遊嵌しかつパネル本体６に外嵌する寸法設定になっている。
外面板７ｂおよび底面板７ｃの内面には気密シール（例えばＥＰＤＭ等のゴム質弾性材）７ｄが全面に亘って貼着されているが、該気密シール７ｄは、パネル本体６の左右両端部を端部カバー７の外面板７ｂ、底面板７ｃに押し付けるように内嵌すると押し潰された状態となって気密性を発揮することになる。この状態で表裏面板７ａの内端縁７ｉは、ガイドレール４のガイド溝４ａから左右方向内方に延出する寸法設定になっていて延出部７ｈが形成されている。そして該延出部７ｈが緊締具の一例であるビス７ｅを介してパネル本体６に着脱自在に固定されることになるが、本実施の形態では、パネル本体６が肉薄であった場合に、表裏面側から螺入したビス７ｅ同士の螺子部が接触しないよう上下位置をずらすように設定されいる。
また端部カバー底面板７ｃの左右方向内端縁７ｊは、表裏面板７ａの延出部７ｈの内端縁７ｉよりも左右方向内方に向けて長く突出して突出部７ｆが形成され、これにより端部カバー７は、突出部７ｆが表裏面板７ａよりも左右方向内方に突出する状態でパネル本体６の底面板６ｃに気密シール７ｄがあいだに挟持される状態で当接するようになっており、これによって後述するように端部カバー７をパネル本体６に着脱する作業を、突出部７ｆを把持してできるよう配慮されており、これにより延出部７ｈのガイドレール４からの延出量を小さくし、ビス７ｅによる端部カバー７の固定部位をガイドレール４に近接させて外観性を損なうことが低減されるようになっている。
さらに前記パネル本体６のアングル材６ａは、左右両端部に切欠き６ｄが形成されるが、該切欠き６ｄは、最下端スラット１ｂに設けられている振れ止め体（図示せず）との干渉を回避するためのものである。
【００１１】
８、８ａは防水シールＳを構成するシール本体、シール端部であって、該シール本体８はパネル本体６の底面板６ｃに例えば両面粘着テープにより貼着されるものであり、シール端部８ａは、端部カバー外面板７ｂの外面からコーナー部７ｇの外面を経て底面板７ｃの底面（つまり外周面）の内端縁７ｊにまで至る状態で同じく貼着されるものであり、これらシール本体８、シール端部８ａは例えば低反発性ゴム質弾性材を用いて構成されるが、シール本体８、シール端部８ａの突出部７ｆの端縁部位で互いに対向する対向部位８ｂは接着剤で接着されて隙間の無いように一体化されている。尚、シール本体８は、パネル本体６の底面板６ｃの板面の前後からの突き合わせ部を塞ぐ構造となるので、パネル本体６内への防水にも寄与することになる。
シール端部８ａは、端部カバー７の外面板７ｂと底面板７ｃとのコーナー部７ｇにおいて折曲するように取付けられて一体化されているが、該シール端部８ａのコーナー部８ｃの外周面は、防水シールＳが高さ方向に肉厚であるため、前記コーナー部７ｇで折曲された場合であっても弧状に湾曲した構造になっている。
【００１２】
９はガイドレール４の溝底面４ｂに取付けられる押圧具であって、該押圧具９は、溝底面４ｂに緊締具の一例であるビス９ａを上下方向に長い取付け孔９ｌに螺入することで固定される基板９ｂと、該基板９ｂから左右方向内方に向けて突出する押圧体９ｃとから構成されるが、基板９ｂはガイド溝４ａよりも幅狭になっていて、既存のガイド溝４ａに後付けできるようになっている。
押圧体９ｃは、上端から下側に行くほど左右方向内方への突出量が多くなるよう傾斜して基板９ｂの上下方向中間位置にまで至る第一押圧部９ｄと、該第一押圧部９ｄ下端の突出量を維持した状態で床面Ｆ近傍にまで至る第二押圧部９ｅと、下端が床面Ｆに接し、さらに押圧体９ｃの左右方向内端縁（つまり頂辺）９ｍが下端側ほど左右方向内方に突出する状態で弧状になったコーナー部９ｊを経て次第に低くなるように傾斜して床面Ｆに至る第三押圧部９ｆとにより形成されているが、この第三押圧部９ｆは、左右方向内端９ｇが防水パネル５の左右方向外端縁６ｅよりも左右方向内方まで突出するようになっている。
因みに第三押圧部９ｆの左右方向内端９ｇは、床面Ｆに対して段差が無いように加工され、これによってシール端部８ａの左右方向内端９ｇが押圧状に当接する部位とのあいだに隙間ができないように設定されている。
尚、本実施の形態の押圧具９は、図７に示すように平板状の基板９ｂに嵌合孔９ｈが穿設されたものにし、該嵌合孔９ｈに、押圧体９ｃに形成した突起９ｉを嵌合し、両者を溶着することにより形成している。
さらに押圧体９ｃの左右方向内端９ｇの形状としては、例えば図７（Ｄ）に示すように、角形状（コーナー部は面取りされていることが好ましい。）、円弧形状、山形状等、各種の形状にすることができる。
【００１３】
そしてシャッターカーテン１が閉作動していくと、端部カバー７の外面板７ｂに貼着された左右側面部位８ｄが下側から第一押圧部９ｄに順次当接されて押圧変形することになる。そして左右側面部位８ｄが第二押圧部９ｅに至ると、該左右側面部位８ｄは変形量が最も深い状態となって押圧されていき、最後にパネル本体６の底面板６ｃに設けたシール本体８および端部カバー７の底面板７ｃに設けた底側部位８ｅが床面Ｆに当接して押し潰されて変形し、これによって防水パネル５の底部および左右両端部の防水がなされるようになっている。
この場合に、シール端部８ａの外周面が弧状になったコーナー部８ｃは、同じく弧状（曲率は同じでも異なっていてもよい。）に形成された押圧体９ｃのコーナー部９ｊに押圧されることになるため、例えばこのコーナー部９ｊを、第二押圧部９ｅと第三押圧部９ｆとの頂辺を結ぶ角度を有する鈍角コーナー形状とした場合に、この鈍角コーナー部でのシール端部８ａの弧状になったコーナー部８ｃでの押圧変形が不十分になって水漏れしやすくなるような可能性を回避することができるように設定されているが、これらは防水シールＳの固さ等によって種々選択されるものであり弧状にする必要は必ずしもない。
このような押圧体９ｃのコーナー部９ｊでの水漏れ防止の対策としては、該コーナー部９ｊを、シール端部８ａのコーナー部８ｃの弧よりも大きな弧状（曲率が大きい）にするものに限定されず、例えば図１０（Ａ）に示すように小さな弧状にしたものでもよく、さらには同図（Ｂ）に示すように、コーナー部９ｊを第二押圧部９ｅと第三押圧部９ｆとの頂片が鈍角状に交わったままにしたもの、同図（Ｃ）に示すように第二押圧部９ｅと第三押圧部９ｆとのあいだに直線状になった第四の押圧部９ｋを設けるようにしてコーナー部の鈍角が大きくなるようにし、これにより水漏れ回避をするように諮ることができる。このものにおいてさらに同図（Ｄ）に示すように各頂辺が交わる二つのコーナー部９ｊを弧状にしたもの、さらには第四の押圧部９ｋを、さらに二つ以上の多角形状にしたものとすることもできる。
【００１４】
このようにしてシャッターカーテン１の開閉昇降が繰り返されると、端部カバー７の左右方向外面板７ｂに設けたシール端部８ａの外側面が第一〜第三押圧部９ｄ、９ｅ、９ｆに摺動する状態で押圧変形が繰り返されることになって消耗することになり、このようになった場合、シール端部８ａを交換するメンテナンスが必要になる。
この場合のメンテナンス方法としては、延出部７ｈのビス７ｅを外す工程、端部カバー７をパネル本体６から抜き出す工程、端部カバー７をガイドレール４から抜き出す工程、端部カバー７に設けられるシール端部８ａを交換する工程、シール端部８ａが交換された端部カバー７をガイドレールに嵌入する工程、シール端部８ａが交換された端部カバー７を延出部７ｈにおいてパネル本体６にビス７ｅ固定する工程、を順次行うことになるが、具体的には、例えばシャッターカーテン１を、防水パネル５の下端縁が少なくとも第一押圧部９ｄに当接しない位置まで上昇させ、この状態でシール本体８とシール端部８ａとの対向部位（接着部位）８ｂを切断すると共に、端部カバー７を延出部７ｈにおいてパネル本体６に固定するビス７ｅを外すと、端部カバー７をパネル本体６から取外すことができ、この外れた端部カバー７を下側に移動させ、ガイドレール４から引出し、これによって該引出した端部カバー７を単体にした状態でシール端部８ａの交換ができるようになっている。そしてシール端部８ａが交換された端部カバー７をこの逆の手順でパネル本体６に組込むことができる。
尚、この手順は、底面板突出部７ｆが、ビス７ｅによりパネル本体６の底面板６ｃに固定された場合に有効であり、この底面板６ｃに固定されるビス７ｅは、シール端部８ａの底側部位８ｅを底面板突出部７ｆから剥がして該ビス７ｅが露出する状態にしてから取外すことができる。
【００１５】
さらにまた、別の具体的なメンテナンス方法としては、シャッターカーテン１を全閉姿勢（あるいは全閉に近い姿勢）にした状態で延出部７ｈにおいてビス７ｅを外した後、シャッターカーテンを上昇させて端部カバー７をパネル本体６から抜き出す。しかる後、端部カバー７をガイドレール４から抜き出し、該抜き出した端部カバー７においてシール端部８ａの交換をし、この逆の手順でシール端部８ａが交換された端部カバー７をパネル本体６に取付けるようにしてもよい。
この手順は、底面板突出部７ｆが、例えば両面粘着テープでパネル本体６の底面板６ｃに貼着されたような場合に有効であり、この場合には、延出部７ｈにおいてビス７ｅを外した後、シャッターカーテンを上昇させる際に、底面板６ｃに貼着される底面板突出部７ｆを剥がすことで端部カバー７をパネル本体６から取外すことができる。
【００１６】
前記パネル本体６の上端部に設けたアングル材６ａの左右両端部には、防水パネル５が左右に振れるのを防止するための左右方向振れ止め体１０が設けられている。この振れ止め体１０は、板状の支持部材１０ａと、該支持部材１０ａの左右方向外方に取付けられたローラ１０ｂとから構成されるが、支持部材１０ａには、左右方向に長い長孔１０ｄが形成されており、これによって振れ止め体１０のアングル材６ａに対してボルト（緊締具）１０ｃによる左右取付け位置の調整ができ、ローラ１０ｂがガイドレール溝底面４ｂから僅かな隙間（例えば２ｍｍ）を存して対向するよう構成され、防水パネル５の左右位置ずれを防止し、これによってシール端部８ａの押圧体９ｃによる押圧変形を可及的に左右均一にするよう配慮されている。この場合において、振れ止め体１０は、正確に位置決めされるよう取付ける必要があり、このため本実施の形態では、図９に示すように、ボルト１０ｃと固定用のビス（緊締具）１０ｅとで振れ止め体１０を正確に位置決めした後、固定用ビス１０ｅで確りと固定するようになっている。
また、このものではパネル本体６には、Ｌ字形をした補強金具１２が室内側にボルト１２ａを介して固定されるが、補強金具１２が室外側のみ、室内外両側に設けたものであってもよい。また、補強金具１２は防水パネル５の下端部に設けられるため強度的に有利になる。
さらにまたパネル本体６の左右方向外方の上側コーナー部には逆Ｌ字形の補助金具１３が設けられているが、該補助金具１３は、端部カバー７をパネル本体６に取付ける際のガイドとして機能することになり、メンテナンス作業の作業性が向上する。
【００１７】
叙述の如く構成された本実施の形態において、開口部の左右両端部に設けたガイドレール４を上下移動して開口部の開閉をするシャッターカーテン１の下端部に、左右両端部がガイドレール４に内嵌して昇降案内される防水パネル５と、該防水パネル５の左右両側面となる端部カバー７の左右方向外面板７ｂからコーナー部７ｇを経て底面板７ｃに至るよう設けられる防水シールＳと、ガイドレール４の溝底面４ｂから左右方向内方に突出して設けられ、防水シールとのうち端部カバー７に取付けられるシール端部８ａを押圧変形させて左右両側面の防水をする押圧体９ｃとを設けて開口部下側部位の防水をすることになり、この結果、防水パネル５の左右両側面と底面とに設けられたことになる防水シールＳのコーナー部部位が、防水パネル５の左右方向外端縁６ｅよりも内側の底面部位までも押圧変形することになって、パネル本体６の重量が直接働かないシール端部８ａのコーナー部８ｃについても確実に押圧変形することになって防水性が向上する。
【００１８】
そのうえ、シール端部８ａの底面部位８ｅの押圧変形をする押圧体９ｃは、ガイドレール４内に納まっているため視認されることがなく、外観を損なうことがない。しかも押圧体９ｃは、シール端部８ａの全体を連続した状態で押圧変形できるため、押圧体９ｃの構造を簡略化できながら、防水性能が損なわれることがない。
またシール端部８ａは、一本状のものが端部カバー７のコーナー部７ｇで折曲するように設けられることでコーナー部８ｃの外周面が弧状になっており、この弧状になったコーナー部８ｃを押圧体９ｃの弧状になったコーナー部９ｊで押圧変形するため、押圧変形がより理想に近いものになって防水性の一層の向上が図れるものとなる。
さらに押圧体９ｃの第三押圧部９ｆは、シール端部８ａの底側部位８ｅを押圧することになるが、該第三押圧部９ｆは、先端側ほど低くなるよう傾斜し、かつその先端は、床面とのあいだに段差がないように設定されているため、シール端部８ａの底側部位８ｅの押圧変形が段差がない自然な状態で床部Ｆにまで至ることになって該部位での防水性能が損なわれることを有効に回避して高い防水性を発揮できることになる。
【００１９】
さらに本実施の形態では、次のような機能、作用効果も発揮することになる。
シャッターカーテン１は、開口部の左右両端部に設けたガイドレール４を上下移動して開口部の開閉をすることになるが、このシャッターカーテン１の下端部に、左右両端部がガイドレール４に内嵌して昇降案内される防水パネル５が設けられる。そして該防水パネル５は、左右両端部がガイドレール４に内嵌するパネル本体６と、該パネル本体６の左右両端部に抜き差し自在に外嵌する状態で該パネル本体６に着脱自在に固定される溝状の端部カバー７とを備えて構成され、開口部下側部位の防水をするための防水シールＳは、パネル本体６の底面板６ｃに取付けられるシール本体８と、端部カバー７の左右方向外面板７ｂおよび底面板７ｃの外周面に設けられるシール端部８ａとを備えて構成され、シャッターカーテン１が閉鎖姿勢になったとき、シール本体８とシール端部８ａの底側部位８ｅは床面Ｆに当接して押し潰されて防水機能が発揮され、シール端部８ａの左右側面部位８ｄおよびコーナー部８ｃはガイドレール４内に設けた押圧体９ｃの当接によって押圧変形して防水機能が発揮され、これによって高い防水性を確保することができる。
【００２０】
そしてこのものでは押圧体９ｃがガイドレール４内に設けられるため、外観性を損なうことがないが、シール端部８ａのコーナー部８ｃ及び左右側面部位８ｄは押圧体９ｃに摺接する状態での当接が、シャッターカーテン１の開閉の度に繰り返されることになって消耗が早く、これを放置すると防水性が損なわれるため、シール端部８ａを交換するメンテナンスが必要になる。
【００２１】
このメンテナンスをするには、防水パネル５が少なくとも押圧具９の上端に位置するようにした状態で、シール本体８とシール端部８ａとの接着している対向部位８ｂを切断すると共に、ガイドレール４よりも左右方向内方に延出して防水パネル５の正面に露出していて作業しやすい延出部７ｈにおいてビス７ｅを取外すと、端部カバー７は、パネル本体６から外れることになり、そこで端部カバー７をパネル本体６から引き抜くと共に下におろした状態でガイドレール４から引出す。これにより端部カバー７のみを取出した状態でシール端部８ａの交換ができ、その後、逆の作業で新しく交換されたシール端部８ａが設けられた端部カバー７をパネル本体６に組み付けることができる。
【００２２】
このように本発明が実施されたものは、シール端部８ａと押圧体９ｃとがガイドレール４内に設けて外部から見えないようにしたものでありながら、シール端部８ａの交換をするメンテナンス作業を、防水パネル５をガイドレール４から外すことなく簡単にできることになる。
【００２３】
しかもこのものでは、端部カバー７の左右方向外面板７ｂと底面板７ｃに取付けられるシール端部８ａは、コーナー部８ｃを折曲するようにして一体物として設けられているから、コーナー部８ｃを境にして別物として設ける場合に比してシール端部８ａの交換作業が容易になる。
【００２４】
そのうえ端部カバー７の底面板７ｃには、延出部７ｈよりもさらに左右方向内方に突出する状態でパネル本体６の底面板６ｃに下側で積層している突出部７ｆが設けられているため、端部カバー７は、この突出部７ｆを把持して端部カバー７のパネル本体６からの抜き差し作業ができることになる結果、前記ビス７ｅを介して固定される延出部７ｈの延出量を可及的に小さくできて防水パネル５の外観性を損なうことを低減できる。
またシール端部８ａとシール本体８の互いに対向する対向部位８ｂは接着されることで防水処理が施されるため、ここから水が漏れることを防止できることになる。
【００２５】
さらに端部カバー７の左右方向外面板７ｂと底面板７ｃとの内面には、コーナー部７ｇも含めて端部カバー７とパネル本体６とのあいだの気密を確保するための気密シール７ｄが設けられているたる、防水パネル５を、メンテナンスしやすいよう端部カバー７とパネル本体６とに分割したものでありながら、気密性も確保できることになる。
そのうえこのものでは、パネル本体６に設けられるアングル材６ａに、防水パネル５の左右方向の振れ止めをするための振れ止め体１０が設けられているため、防水パネル５の左右方向の位置ズレが僅かなものになり、シール端部８ａの押圧体９ｃに対する左右方向の位置ズレが小さいものになって左右均等的なシール端部８ａの押圧変形がなされることになって防水性が向上する。
【００２６】
尚、本発明は前記実施の形態に限定されないものであることは勿論であって、図１１に示す実施の形態のように、ガイドレール４の溝幅が広く、防水パネル５が前後方向に位置ずれしてシール端部８ａの押圧体９ｃに対する押圧変形が片寄ってしまう惧れがある場合、端部カバー７の表裏面板７ａの前後方向外面に、防水パネル５の前後方向の振れ止めをするための前後方向振れ止め体１１を設けるようにすることができ、これによって左右均等的なシール端部８ａの押圧変形がなされることになって防水性が向上する。
【００２７】
さらにまた図１２以降の第二の実施の形態について説明する。このものはシャッターカーテン１が前記第一の実施の形態のものよりも左右幅広であるため、より高い水圧を受けることになり、これに耐えられるよう防水パネル２１の前後方向の厚さを、左右ガイドレール４の内々寸法内においてガイドレール４の溝幅よりも厚くしたものである。
そしてこの防水パネル２１は、左右幅広で厚いため重量が重く、単品とした場合の左右ガイドレール４への組込み作業が大変になると共に、現場への搬送が大掛かりとなり、そこで分割型として構成されている。そして分割数としては特に限定されるものでないが、奇数枚とすることが好ましい。その理由としては、奇数枚とした場合、防水パネル２１の左右方向中央部に分割位置がないものとなって耐水圧性が向上する、という利点がある。以下の第二の実施の形態では三分割にした防水パネル２１について説明する。
【００２８】
前記防水パネル２１は、前記第一の実施の形態の場合と同じくパネル本体２２と端部カバー７とにより構成されている。パネル本体２２は、中央パネル（連結パネル）２４と左右対称状になった一対の端パネル２５とを用いて構成されるが、これら中央パネル２４と左右の端パネル２５とは左右長さが同じになるよう設定され、現場搬送する場合の梱包を同じにできる等の利点があるが、中央パネル２４と左右の端パネル２５の左右長さは、全て異なったものとしてもよいし、端パネル２５同士は同じ長さであるが中央パネル２４は端パネル２５とは異なった長さ（長さは長くても短くてもよい。）にしてもよいし、一方の端パネル２５と中央パネル２４は同じ長さであり、他方の端パネル２５の長さが異なったものにしてもよい。さらにまた、強度を持たせるための防水パネルとしては、連結パネル２４がなく端パネル２５のみの２枚の分割型であってもよく、この場合、分割部となる連結端縁部が防水パネルの左右方向中央位置ではなく、左右方向何れかに位置ずれしたものとすることで強度アップを図ることができる。この場合、何れか一方の端パネル２５ｋ連結部は、前記第一の実施の形態の第一連結部２４ｂの構成になることは言うまでもない。
【００２９】
中央パネル２４は、肉厚の箱状に構成される中央パネル本体２４ａと、該中央パネル本体２４ａの上端面に固定される逆Ｌ字形をした第一、第二のアングル材２４ｂ、２４ｃと、中央パネル体本体２４ａの左右両端に設けられる第一連結部２４ｄとを備えて構成されている。
第一、第二アングル材２４ｂ、２４ｃは、縦片同士が背中合わせ状に突き合わされた状態で横片が中央パネル本体２４ａの上面に溶着される。本実施の形態では、屋外側の第一アングル材２４ｂは中央パネル本体２４ａの左右長さと一致しているが、第二アングル材２４ｃは両端縁が中央パネル本体２４ａの左右長さよりも長くなっている。
また第一連結部２４ｄは、本実施の形態では中央パネル本体２４ａの表裏面板２４ｊを左右方向外方に向けて延出した延出部２４ｋとして形成されているが、中央パネル本体２４ａの左右端面に例えばコ字形型材の跨部を溶着すること等で構成してもよい。そしてこのものでは、第一連結部２４ｄの下端縁は底板２４ｅの板厚分、切欠かれた切欠き部２４ｆとなっている。
【００３０】
また端パネル２５は、箱状になった肉厚の端パネル本体２５ａと、該端パネル本体２５ａの上面に固定される逆Ｌ字形をした第三、第四のアングル材２５ｂ、２５ｃと、端パネル本体２５ａの左右方向内方側に固定される第二連結部２５ｄと、端パネル本体２５の左右方向外方面２５ｉからガイドレール４のガイド溝４ａに遊嵌状に嵌合するよう突出して設けられた被ガイド部２５ｅとを備えて構成されている。
第三、第四アングル材２５ｂ、２５ｃは、縦片同士が背中合わせ状に突き合わされた状態で横片が端パネル本体２５ａの上面に溶着される。本実施の形態では、屋外側の第三アングル材２５ｂは端パネル本体２５ａの左右長さと一致しているが、第四アングル材２５ｃは、前記第二アングル材２４ｃの両端縁が長くなった分、端パネル本体２５ａの左右長さよりも短くなっている。
また第二連結部２５ｄは、跨部２５ｆが端パネル本体２５ａの表裏面板２５ｇよりも左右方向内方に延出する状態で脚部２５ｈが表裏面板２５ｇに溶着されたコ字形をした第一連結金具２５ｉと、該第一連結金具２５ｉに内嵌した脚部２５ｊが第一連結金具２５ｉの脚部２５ｈに溶着されたコ字形をした第二連結金具２５ｋとにより構成されている。そして前記延出した第一連結部２４ｄの延出部２４ｋを、第一連結金具２５ｉの脚部２５ｈの延出部位に外嵌した状態でボルト（緊締具）２２ａを介して該延出部２４ｋ部位を固定することで中央パネル２４と端パネル２５とを連結できるように構成されている。そして該連結後、当接面部位を鉄パテでコーキングし、その後、パネル本体２２の表面を防水塗装するようにしている。
【００３１】
そして本実施の形態の防水パネル２１は次のようにして組付けられる。まず、左右の端パネル本体２５ａを、被ガイド部２５ｅがガイドレール４に嵌入するようにして床面Ｆに配置する。次いで中央パネル本体２４ａを持ち上げ、第一連結部２４ｄが第二連結部２５ｄに雄雌状に外嵌する状態で降ろし、床面Ｆに設置する。そして第一、第二連結部２４ｄ、２５ｄ同士をボルト２２ａを介して固定することでパネル本体２２の組込みができることになる。しかる後、第一〜第四アングル材２４ｂ、２４ｃ、２５ｂ、２５ｃをボルト２２ｂを介して最下端スラット１ｂに固定することになり、これにより本実施の形態の防水パネル２１を組立てることができるようになっている。
尚、第一、第二連結部２４ｄ、２５ｄ同士の雄雌嵌合構造は、逆の構造であっても勿論よい。これら連結部２４ｄ、２５ｄの面接触する部位にコーキング材を予め塗布しておいて防水性能の向上を図っている。
この場合において、被ガイド部２５ｅに前記第一の実施の形態に用いたと同じ構造のシール端部８ａが設けられた端部カバー７を予め取付けておいてもよいが、パネル本体２２をシャッターカーテン１に取り付け後、持ち上げた状態にして端部カバー７を取付けるようにしてもよい。またシール本体８は、パネル本体２２がシャッターカーテン１に連結された後、床面Ｆから持ち上げることで底板２４ｅ、２５ｇに取付けることができるが、各底板２４ｅ、２５ｇに分割する状態で予め取付けておいてもよい。このシール本体８を分割型とした場合、シール本体８の端部同士を、パネル本体２２の組付け後、対向端部同士を接着剤で接着することで防水性が損なわれないように配慮される。
尚、本実施の形態においては、パネル本体２２の底面に取付けられるシール本体８としては、前記第一の実施の形態のように端部カバー７に取付けられるシール端部８ａと連続するようにして取付けられるもののほかに、屋外側に並列するようにもう一本のシール本体８が取付けられているが、これは屋内側であってもよく、さらには屋内外に一対設けてもよい。
因みに端部カバー７については前記実施の形態と同じ構造であるので、その詳細は省略する。
さらにこのようにして組付けられたパネル本体２２の表裏面にはＬ字形をした補強金具２６がボルト２６ａを介して固定されている。本実施の形態での補強金具は左右方向中央部において二分割されたものであり、このように構成することにより、補強金具２６の分割位置とパネル本体２２の分割位置とが位置ずれしたものとなって強度アップを図る構成になっている。この場合に、補強金具２６は、パネル本体２２の下側位置に設けることが強度確保のため好ましいものとなる。因みに補強金具２６は分割型でなく一本ものであっても勿論よい。
【００３２】
そしてこのものでは、中央パネル２４に設けられる第二アングル材２４ｃが長くなっていて端パネル２５の第三アングル材２５ｂと重なり合う構造となると共に、該重なり合った部位をボルト２２ｂで固定するため、ここにおいても強度アップを図ることができるようになっている。
【００３３】
このようなアングル材の配置としては、パネル本体同士２４ａ、２５ａの分割部で突き合うようにしても勿論よいが、例えば突出側を端パネル２５側の第四アングル材２５ｃとしてもよく、またアングル材同士の突き合わせ位置を端パネル２５の左右方向中間位置、あるいは中央パネル２４の左右方向中間位置のように大きく偏倚することができ、このようにすることでアングル材同士の突き合わせ位置が大きく齟齬したものとなってパネル本体同士の連結位置からずれることになりより強度アップが図れることになる。そして前記第四アングル材２５ｃを長くした場合には、防水パネル２２の組み込み手順としては、中央パネル２４をセットした後、端パネル２５を持ち上げ、被ガイド部２５ｅがガイドレール４に内嵌した状態で中央パネル２４の左右両側に端パネル２５を降ろしてセットした後、第一、第二連結部２４ｄ、２５ｄ同士を連結することでパネル本体２２の組込みができることになる。
【００３４】
そしてこのものも、シール端部８ａが損耗した場合に、前記第一の実施の形態と同様、端部カバー７のみをパネル本体２２から取外してシール端部８ａの交換をした後、再び端部カバー７を取付けることで簡単に交換のメンテナンス作業を行うことができるようになっている。
尚、前記各実施の形態は何れもシャッターカーテン１の下端に防水パネルを設けた電動式のものとしたが、シャッターカーテンを設けることなく防水パネル単体のものをガイドレールに設置する手動式のものとしてもよいことは勿論である。
【産業上の利用可能性】
【００３５】
本発明は、シャッターカーテン等の開閉体の下端部を防水構造にする建築用開閉装置の防水構造として利用することができる。
【符号の説明】
【００３６】
１  シャッターカーテン
４  ガイドレール
４ａ  ガイド溝
４ｂ  溝底面
５  防水パネル
６  パネル本体
６ｃ  底面板
７  端部カバー
７ａ  表裏面板
７ｂ  左右方向外面板
７ｃ  底面板
７ｆ  突出部
７ｇ  コーナー部
７ｈ  延出部
８  シール本体
８ａ  シール端部
８ｂ  対向部位
８ｃ  コーナー部
８ｄ  左右側面部位
８ｅ  底側部位
９  押圧具
９ｃ  押圧体
９ｄ  第一押圧部（左右側押圧部）
９ｅ  第二押圧部（左右側押圧部）
９ｆ  第三押圧部（底部側押圧部）
９ｊ  コーナー部
９ｋ  第四押圧部（底部側押圧部）
２１  防水パネル
２２  パネル本体
Ｓ  防水シール
【図１】
2018048525.tif 000003
【図２】
2018048525.tif 000004
【図３】
2018048525.tif 000005
【図４】
2018048525.tif 000006
【図５】
2018048525.tif 000007
【図６】
2018048525.tif 000008
【図７】
2018048525.tif 000009
【図８】
2018048525.tif 000010
【図９】
2018048525.tif 000011
【図１０】
2018048525.tif 000012
【図１１】
2018048525.tif 000013
【図１２】
2018048525.tif 000014
【図１３】
2018048525.tif 000015
【図１４】
2018048525.tif 000016
【図１５】
2018048525.tif 000017
【図１６】
2018048525.tif 000018
【図１７】
2018048525.tif 000019
【図１８】
2018048525.tif 000020